(57)【特許請求の範囲】
【請求項１】
コネクタ収容室を有するベース部材と、該ベース部材にスライド自在に配置され、コネクタのリヤホルダに当接しつつ、該コネクタを該コネクタ収容室に押し込む当接壁を有するスライド部材と、該スライド部材に固定ないし一体化され、前進時に該コネクタ収容室内の該コネクタの上端に沿って位置する突出壁を有する操作部材とで構成されることを特徴とするコネクタの係止部材挿入治具。
【請求項２】
前記リヤホルダがヒンジを介して下向きに開いた状態で前記コネクタが前記コネクタ収容室の入口側に斜め上向きにセットされ、前記操作部材の前進時に前記突出壁が該コネクタの上部を水平に押し下げることを特徴とする請求項１記載のコネクタの係止部材挿入治具。
【請求項３】
前記コネクタ収容室の底面に続く傾斜面が前記ベース部材に形成され、該傾斜面に沿って前記リヤホルダがヒンジを支点に挿入方向に回動することを特徴とする請求項１又は２記載のコネクタの係止部材挿入治具。
【請求項４】
前記傾斜面から前記底面にかけて前記ヒンジを案内収容する溝部が形成されたことを特徴とする請求項３記載のコネクタの係止部材挿入治具。
【請求項５】
前記コネクタ収容室の上壁に前記コネクタのロックアームを挿通させる開口が設けられ、一対の前記突出壁の間に該ロックアームが進入することを特徴とする請求項１〜４の何れかに記載のコネクタの係止部材挿入治具。
【発明の詳細な説明】
【技術分野】
【０００１】
本発明は、端子を係止するリヤホルダ等の係止部材を治具部材のスライド操作でコネクタハウジング内に挿入係止させるコネクタの係止部材挿入治具に関するものである。
【背景技術】
【０００２】
図８（ａ）は、従来のコネクタの係止部材挿入治具の一形態を示すものである（特許文献１参照）。
【０００３】
この係止部材挿入治具８１は、コネクタ８４を収容する下側の部材８２と、コネクタ内に係止部材であるリテーナ８５を押し込む上側の部材８３とで構成されている。両部材８２，８３はヒンジ軸８６を支点に上下に回動する。
【０００４】
図８（ｂ）はコネクタ８４を示すものであり、このコネクタ８４は、絶縁樹脂製のコネクタハウジング８７と、コネクタハウジング８７の端子収容室に挿入される電線付きの雌型の端子８８と、コネクタハウジング８７の上部開口８９から挿入され、端子８８の段部を二次係止する係止杆９０を有する係止部材としてのリテーナ８５とで構成される。コネクタハウジング８７は端子収容室内に端子一次係止用の係止ランスを有し、係止ランスは端子８８の凹部に係合する。
【０００５】
リテーナ８５をコネクタハウジング８７に仮係止（半挿入）した状態で、端子８８を端子収容室内に挿入し、図８（ａ）の挿入治具８１の下側の部材８２にコネクタ８４をセットし、上側の部材８３を下降させてリテーナ８５をコネクタハウジング内に押し込む。
【特許文献１】特開平１０−３２９６４１号公報（図１〜図３）
【発明の開示】
【発明が解決しようとする課題】
【０００６】
しかしながら、上記従来の係止部材挿入治具８１にあっては、リテーナ８５の上面に均一に押し込み力を作用させなければならず、治具８１だけでなく作業者の作業精度も要求されるという懸念があった。また、端子挿入方向に対して直交する方向からコネクタハウジング８７に挿入するリテーナ８５に限定されてしまい、端子挿入方向に挿入する係止部材であるリヤホルダや、特に薄肉のヒンジで回動（開閉）式に連結されたリヤホルダには適用できないという問題があった。
【０００７】
本発明は、上記した点に鑑み、係止部材としてのリヤホルダを誰でも簡単・確実にコネクタハウジング内に端子挿入方向に挿着することのできるコネクタの係止部材挿入治具を提供することを目的とする。
【課題を解決するための手段】
【０００８】
上記目的を達成するために、本発明の請求項１に係るコネクタの係止部材挿入治具は、コネクタ収容室を有するベース部材と、該ベース部材にスライド自在に配置され、コネクタのリヤホルダに当接しつつ、該コネクタを該コネクタ収容室に押し込む当接壁を有するスライド部材と、該スライド部材に固定ないし一体化され、前進時に該コネクタ収容室内の該コネクタの上端に沿って位置する突出壁を有する操作部材とで構成されることを特徴とする。
【０００９】
上記構成により、リヤホルダを未挿入の状態でコネクタをベース部材のコネクタ収容室の後側の入口にセットし、操作部材をスライド部材と一体に前進させることで、スライド部材の当接壁がリヤホルダに当接してコネクタをコネクタ収容室内に押し込み、その際、操作部材の突出壁がコネクタの浮き上がりを抑えて、コネクタをコネクタ収容室内にスムーズに収容させ、当接壁がコネクタをコネクタ収容室の前端に当接させた状態で、リヤホルダをコネクタ内に押し込んで挿入させる。リヤホルダはヒンジを有するものでも有さないものでもよい。
【００１０】
請求項２に係るコネクタの係止部材挿入治具は、請求項１記載のコネクタの係止部材挿入治具において、前記リヤホルダがヒンジを介して下向きに開いた状態で前記コネクタが前記コネクタ収容室の入口側に斜め上向きにセットされ、前記操作部材の前進時に前記突出壁が該コネクタの上部を水平に押し下げることを特徴とする。
【００１１】
上記構成により、突出壁が前進してコネクタ収容室の入口側でコネクタを押し下げて斜めから水平に姿勢矯正し、その状態でスライド部材の当接壁がリヤホルダを押してコネクタをコネクタ収容室に押し込む。リヤホルダはヒンジでコネクタハウジングに連結されたものでもよく、ホルダ本体がヒンジでリヤホルダのスライド部に連結されたものでもよい。
【００１２】
請求項３に係るコネクタの係止部材挿入治具は、請求項１又は２記載のコネクタの係止部材挿入治具において、前記コネクタ収容室の底面に続く傾斜面が前記ベース部材に形成され、該傾斜面に沿って前記リヤホルダがヒンジを支点に挿入方向に回動することを特徴とする。
【００１３】
上記構成により、リヤホルダがベース部材の傾斜面に沿って摺動しつつヒンジを支点にてこの原理で閉じ方向にスムーズに回動し、当接壁によるリヤホルダの押し込みに適した姿勢となる。
【００１４】
請求項４に係るコネクタの係止部材挿入治具は、請求項３記載のコネクタの係止部材挿入治具において、前記傾斜面から前記底面にかけて前記ヒンジを案内収容する溝部が形成されたことを特徴とする。
【００１５】
上記構成により、ヒンジと傾斜面や底面との干渉が防止されて、ヒンジの屈曲動作とそれに伴うリヤホルダの挿入動作がスムーズに行われる。
【００１６】
請求項５に係るコネクタの係止部材挿入治具は、請求項１〜４の何れかに記載のコネクタの係止部材挿入治具において、前記コネクタ収容室の上壁に前記コネクタのロックアームを挿通させる開口が設けられ、一対の前記突出壁の間に該ロックアームが進入することを特徴とする。
【００１７】
上記構成により、ロックアームが突出壁や収容室の壁部で押されることがなく、ロックアームの弾性力の低下とそれに伴う相手コネクタとの嵌合時のロック力の低下が防止される。
【発明の効果】
【００１８】
請求項１記載の発明によれば、リヤホルダをコネクタ内に誰でも小さな操作力で容易に且つ確実に挿入することができ、リヤホルダによる端子の係止を正確に行うことができる。
【００１９】
請求項２記載の発明によれば、ヒンジを支点に開閉方向に回動するリヤホルダをコネクタ内に誰でも小さな操作力で容易に且つ確実に挿入することができる。
【００２０】
請求項３記載の発明によれば、リヤホルダを傾斜面に沿ってヒンジを支点に回動させて当接壁で押し込みやすくすることで、リヤホルダをコネクタ内にスムーズ且つ確実に挿入することができる。
【００２１】
請求項４記載の発明によれば、ヒンジの干渉を防止して、ヒンジの屈曲動作とそれに伴うリヤホルダの挿入動作をスムーズに行わせることができる。
【００２２】
請求項５記載の発明によれば、コネクタのロックアームを何ら撓ませることなくリヤホルダの挿入を行うことができるから、相手コネクタとの嵌合時のロック力が確実に維持される。
【発明を実施するための最良の形態】
【００２３】
図１〜図６は、本発明に係るコネクタの係止部材挿入治具の一実施形態を示すものである。
【００２４】
図１（ａ）の如く、この係止部材挿入治具１は、基板状のベース部材２と、ベース部材２にスライド自在に係合したスライド部材３と、スライド部材３に固定された操作部材４との三部品で構成されるものである。
【００２５】
スライド部材３は長手方向のガイド溝５を有し、ベース部材２の丸孔（図示せず）にボルト６の軸部が下から挿入されてガイド溝５内にスライド自在に係合し、ベース部材２のスリット状のガイド長孔７（図５）にボルト８の軸部がスライド自在に下から挿入されつつ操作部材４のねじ孔９に螺挿されて、三部品２〜４が組み立てられている。
【００２６】
図２の如く、ベース部材２は、水平なベース壁１０と前端の垂直な端壁１１とを有し、ベース壁１０の幅方向中央に一段高くなった突壁１２が長手方向に設けられ、突壁１２の前端上側に前上がりの傾斜面１３が設けられ、傾斜面１３は左右両側において前方に延長され、この左右一対の延長傾斜面１３ａが水平な突条（底面）１４に続き、左右の突条１４の間に溝部１５が形成され、突条１４の前半上側に幅広の収容室１６が形成され、幅広の収容室１６と端壁１１側との間に幅狭の収容室１７が形成され、両収容室１６，１７は前後に連通して平面視で略Ｔ字状のコネクタ収容室１８を成している。
【００２７】
幅広の収容室１６の下側で溝部１５の前端側に一段深いテーパ状の凹部（溝部）１５ａが形成され、凹部１５ａを経て一段高い幅狭の収容室１７の水平な底面１９に続いている。凹部１５ａは溝部１５の一部である。収容室１７の終端壁（前端壁）２０は端壁１１と平行に段差状に形成されている。
【００２８】
コネクタ収容室１８の上部と後部は開口され、上部の開口２１はスリット状に形成されて、水平な内向きの鍔部２２を有し、鍔壁２２は水平な上壁５３に続いている。コネクタ収容室１８の左右の垂直な壁部２３はベース板１０に立設され、コネクタ収容室１８の上壁５３とその外側の水平な鍔状の壁部２４は端壁１１に直交している。鍔状の壁部２４は垂直な壁部２３から外向きに突出し、両壁部２３，２４はＬ字状に直交し、壁部２４とベース壁１０との間に水平な溝状の空間（隙間）２５が形成されている。
【００２９】
スライド部材３は、左右一対の細長の水平な壁部２６と、両壁部２６の前半且つ下半の内側に一体形成された鍔部２７と、両壁部２６の長手方向中間部において鍔部２７と直交して両壁部２６を連結する水平な連結壁２８と、連結壁２８の中央下部に一体形成された当接壁２９と、両壁部２９の後半下部に段差状に形成された切欠空間３０と、両壁部２６の後端に設けられた内向きの鍔部３１とを有している。連結壁２８は、当接壁２９の上側の切欠凹部３２と、当接壁２９の左右両側の下向きの突部３３と、両側の壁部２６に沿った上向きの突部３４とを有して構成されている。当接壁２９は垂直な前端面（当接面）２９ａを有している。
【００３０】
両側の壁部２６の前半部はベース部材２のベース壁１０に摺接し、内向きの鍔部２７はベース部材２の鍔部２４の下側の溝状空間２５に進入係合し、連結壁２８の前端面２８ａはベース部材２のＬ字状の壁部２３，２４の後端面に当接する。当接壁２９は後述のコネクタ３５（図１）のリヤホルダ（係止部材）３６に当接する。
【００３１】
操作部材４は、左右両側の縦断面コの字状の上下対向する水平な壁部３７と、上下の壁部３７の間の水平な隙間（空間）３８と、上下の壁部３７を連結する内端と後端の垂直な各壁部３９，４０と、内端の壁部３９の上半から前方に平行に延長された水平な一対の突出壁４１と、内端の両壁部３９の下部を水平に連結する連結壁４２（図１（ｂ））とを有して構成されている。
【００３２】
水平な空間３８にはスライド部材３の壁部２６の後半２６ａが進入し、後端の鍔部３１が空間３８の後壁４０の内面に当接し、一対の突出壁４１はスライド部材３の連結壁２８の上面に沿って一対の突部３４の間に進入し、コネクタ３５（図１）を下向きに押圧する。一対の突出壁４１の間にはコネクタ３５のロックアーム４３（図１）を進入させる隙間４４が形成されている。
【００３３】
図１（ａ）は、コネクタ３５を係止部材挿入治具１にセットした状態の全体斜視図、図１（ｂ）は、図１（ａ）を中央から切断して示す断面斜視図、図１（ｃ）は図１（ｂ）の縦断面図である。図３〜図５の各（ａ）〜（ｃ）も図１と同様である。
【００３４】
図１において、スライド部材３は操作部材４と一体にベース部材２の後半側に位置している。コネクタ３５は操作部材４の一対の突出壁４１の前端面４１ａに沿って上から前下がりに傾斜状に後半（入口側）の幅広の収容室１６にセットされる。各突出壁４１の前端下部４１ａ’がコネクタ３５の左右両側の上側後部のリブ（突部）４５の傾斜面４５ａの後端に接して位置する。リブ４５はコネクタ３５のロックアーム４３の後端の操作部４３ａの両側に位置してロックアーム４３の不意な操作を防止する保護壁である。
【００３５】
コネクタ４３のリヤホルダ３６が薄肉可撓性（弾性）のヒンジ４６を介して下向きに開いた状態で、ベース壁１０の傾斜面１３の裾側に接して位置する。コネクタ３５が斜めにセットされるのは、リヤホルダ３６が下向きに開いているからである。
【００３６】
コネクタ３５の前端下部３５ａはベース壁１０の凹部１５ａを少し越えて前半の収容室１７の底面１９の入口側に接して位置する。コネクタ３５の上側のロックアーム４３の前端４３ｂは前半の収容室１７のスリット状の上部開口２１の入口側に位置する。
【００３７】
図１（ｃ）の如くコネクタ３５には電線付き端子４７が挿着されており、電線４８は一対の突出壁４１の間を通って後部下側の連結壁４２の上面に沿って治具１から導出される。本例のコネクタ３５には左右二本の電線付き端子４７が挿着される。端子４７はコネクタハウジング４９の端子収容室内の可撓性の係止ランス５０で一次係止されている。リヤホルダ３６は後部下側のヒンジ４６に連結されており、以下の操作で端子収容室の後部に進入して端子４７の後端に当接して端子４７を二次係止させる。
【００３８】
図６（ａ）の如く、コネクタハウジング４９の左右の後部に可撓性の係止枠５１が設けられ、リヤホルダ３６は側壁５２の外面に係止突起５３を有し、以下の操作でヒンジ４６を支点に上方前側に回動することで、側壁５２を含むホルダ本体（符号３６で代用）が端子収容室の後部に進入すると共に、係止突起５３が係止枠５１内に係合して、リヤホルダ３６がコネクタハウジング４９に係止される。ホルダ本体（３６）は、矩形板状の両側壁５２と両側壁５２の間の矩形ブロック状の端子当接部５４とで構成されている。リヤホルダ３６の閉じ操作は手作業ではかなりの労力を要する。
【００３９】
図１の状態から操作部材４を少し前進させることで、図３の如く、突出壁４１の先端下部４１ａ’がコネクタ３５の後端上部のリブ４５の傾斜面４５ａに沿って摺接しつつリブ４５を押し下げて、コネクタ３５をベース部材２のコネクタ収容室１８の底面１９に沿って水平に位置させる。突出壁４１の前端４１ａはリブ４５を通過し、突出壁４１の下面がリブ４５の上端面を摺接する。リヤホルダ３６はベース壁１０の傾斜面１３に接し、コネクタハウジング４９の後部が下向き（時計回り）に水平に回動したことで、ヒンジ４６がやや圧縮されてリヤホルダ３６が後上がりに傾斜する（反時計回りに回動する）。リヤホルダ３６の後方にスライド部材３の当接壁が対向して位置する。
【００４０】
図３の状態から操作部材４をさらに前方に押すことで、図４の如く、当接壁２９がリヤホルダ３６に当接してリヤホルダ３６を前方に押し、それにより、コネクタ３５がコネクタ収容室１８の内面に沿ってスライド式に前進する。リヤホルダ３６の両側壁５２（図６）の周端面が傾斜面１３に沿って摺動しつつヒンジ４６を支点にてこの原理で徐々に閉じ方向に回動する。図３の前進中にはリヤホルダ３６は閉じられない。
【００４１】
その状態でコネクタ３５の前端面３５ｂがコネクタ収容室１８の前端面２０に当接するまでコネクタ３５が前進する。ロックアーム４３はコネクタ収容室１８の上壁５３のスリット状の開口２１内に進入する。一対の突出壁４１はロックアーム４３の両側に非接触で位置し、突出壁４１の下面がベース部材２のコネクタ収容室１８の上壁５３の上面に沿ってほぼ隙間なく位置する。すなわち、ロックアーム４３は治具１によって何ら操作されず、ロックアーム４３の弾性低下等の心配がない。ロックアーム４３の両側下方でコネクタハウジング４９の上壁面の左右両側部分４９ａが幅狭の収容室１７の鍔部２２の下面２２ａに沿ってスライドする。
【００４２】
図４でコネクタ３５が前進して、コネクタ３５の前端がコネクタ収容室１８の前端に当接した状態で、図５及び図６（ｂ）（ｃ）の如く、当接壁２９がリヤホルダ３６を前方に押してコネクタ内に押し込む。それと同時に係止突起５３が係止枠５１に係合する。これにより、リヤホルダ３６の挿着が完了する。ヒンジ４６が円弧状に下方に突出した状態でベース部材２の中央の溝部１５から凹部１５ａに収容される。溝部１５と凹部１５ａはヒンジ４６の圧縮動作を傾斜面１３との干渉なくスムーズに行わせる。
【００４３】
コネクタ３５の左右のリブ４５は幅広の収容室１６の上部開口に進入して位置し、リブ４５の上に突出壁４１が位置する。図５の状態から操作部材４をスライド部材３と一体にスライド式に後退させて、コネクタ収容室１８からコネクタ３５を取り出すことができる。
【００４４】
なお、上記実施形態においては、リヤホルダ３６をほぼ１８０°反転させてコネクタハウジング４９内に挿入するコネクタを用いて説明したが、上記係止部材挿入治具１は、図７に示すようなコネクタハウジング５４とは別体のリヤホルダ５５を４５°程度の角度で回動させるコネクタ５６にも適用可能である。
【００４５】
このリヤホルダ５５は、コネクタハウジング５４の底壁５７に沿ってスライド自在に挿着されたもので、薄板のスライド部５８と、スライド部５８に続く薄肉のヒンジ５９と、ヒンジ５９に続くホルダ本体６０とで構成される。図７の実線の如くホルダ本体６０をヒンジ５９から下向きに回動させた状態で、コネクタハウジング５４の端子収容室６１に後方から電線付き端子６２が挿入されて、収容室内の係止ランス６３で一次係止され、次いでホルダ本体６０を鎖線の如く上向きに回動させて水平にコネクタハウジング内に押し込む。この動作を上記係止部材挿入治具１で行わせることができる。
【００４６】
すなわち、図１において、コネクタ５６をセットし（ホルダ本体６０が下向きに回動しているから、コネクタ５６は図１の例と同様に後上がりに傾斜してセットされる）、次いで、図３〜図４においてホルダ本体６０がスライド部材３の当接壁２９で前方に押されつつ、ベース部材２の傾斜面１３に沿って徐々に水平（上向き）に回動し、図５において、コネクタ５６の前端５４ａがコネクタ収容室１８の前端面２０に当接した状態で、当接壁２９でホルダ本体６０がコネクタハウジング５４内に押し込まれ、ホルダ本体６０の係止突起６４がコネクタハウジング５４の底壁５７の係止孔６５に係合する。
【００４７】
図７の例では、ホルダ本体６０を下向きに傾斜させた状態で押し込んだが、例えばホルダ本体６０を水平にした状態で当接壁２９で押し込んだり、ヒンジ５９のない水平なリヤホルダを用いて当接壁２９で押し込むことも可能である。但しこの場合はベース部材２の傾斜面１３は使用されず（不要であり）、図１においてコネクタは斜めではなく水平にセットされる。
【００４８】
また、上記実施形態においては、ベース部材２の傾斜面１３でリヤホルダ３６の両側壁５２を徐々に閉止（挿入）方向に回動させたが、例えば傾斜面１３を排除して水平面とし、操作部材４の突出壁４１の先端のコネクタ押し下げ動作で一気にリヤホルダ３６を閉じ方向に回動させることも可能である。但し、ヒンジ４６の弾性（反発力）でコネクタ収容室１８へのコネクタ３５の挿入姿勢が乱れる懸念はなきにしもあらずである。
【００４９】
また、上記実施形態においては、スライド部材３と操作部材４とを別体に形成し、スライド部材３をボルト６でベース部材２にスライド自在に係合させた後、スライド部材３を後退させて操作部材４にボルト８で固定させるようにしたが、構造をさらに簡素化してスライド部材３と操作部材４とを一体に形成することも可能である（この場合でも当接壁２９を有する部分をスライド部材３、突出壁４１を有する部分を操作部材４と呼称する）。
【図面の簡単な説明】
【００５０】
【図１】本発明に係るコネクタの係止部材挿入治具の一実施形態におけるコネクタセット状態を示す、（ａ）は斜視図、（ｂ）は断面斜視図、（ｃ）は縦断面図である。
【図２】同じく係止部材挿入治具の要部を示す分解斜視図である。
【図３】係止部材挿入治具の操作初期段階を示す、（ａ）は斜視図、（ｂ）は断面斜視図、（ｃ）は縦断面図である。
【図４】係止部材挿入治具の操作中間段階を示す、（ａ）は斜視図、（ｂ）は断面斜視図、（ｃ）は縦断面図である。
【図５】係止部材挿入治具の操作完了段階を示す、（ａ）は斜視図、（ｂ）は断面斜視図、（ｃ）は縦断面図である。
【図６】（ａ）〜（ｃ）はリヤホルダを閉止する状態を段階的に示す要部斜視図である。
【図７】コネクタの他の形態例を示す縦断面図である。
【図８】（ａ）は従来のコネクタの係止部材挿入治具の一形態を示す斜視図、（ｂ）は使用するコネクタを示す分解斜視図である。
【符号の説明】
【００５１】
１    係止部材挿入治具
２    ベース部材
３    スライド部材
４    操作部材
１３  傾斜面
１５  溝部
１８  コネクタ収容室
２１  開口
２９  当接壁
３５  コネクタ
３６  リヤホルダ
４１  突出壁
４６  ヒンジ
４３  ロックアーム
５３  上壁
【図１】
0004944001.tif 000002
【図２】
0004944001.tif 000003
【図３】
0004944001.tif 000004
【図４】
0004944001.tif 000005
【図５】
0004944001.tif 000006
【図６】
0004944001.tif 000007
【図７】
0004944001.tif 000008
【図８】
0004944001.tif 000009